(57)【要約】【課題】簡単な構造で、プラグ内部、特にタンブラ摺動部への水等の進入、滞留を防止することができるシリンダ錠の提供を目的とする。【解決手段】解錠キー１により動作するタンブラ２を収容したプラグ３をシリンダケース４に回転自在に挿入してなるシリンダ錠であって、  前記プラグ３の先頭タンブラ２の手前には、プラグ３側方への開放部５を備えたプレート装着溝６が形成されるとともに、  このプレート装着溝６には、解錠キー１が挿通可能で、かつ、プレート装着溝６の開放部５に連通するキー挿通開口７を備えたプレート体８が装着される。【選択図】  図４
2008101431.tif 000002
【特許請求の範囲】
【請求項１】
解錠キーにより動作するタンブラを収容したプラグをシリンダケースに回転自在に挿入してなるシリンダ錠であって、
前記プラグの先頭タンブラの手前には、プラグ側方への開放部を備えたプレート装着溝が形成されるとともに、
このプレート装着溝には、解錠キーが挿通可能で、かつ、プレート装着溝の開放部に連通するキー挿通開口を備えたプレート体が装着されるシリンダ錠。
【請求項２】
前記キー挿通開口のプレート装着溝への連通開放部は、解錠キーの板厚寸法に比して小寸の幅方向寸法を有する請求項１記載のシリンダ錠。
【請求項３】
前記プレート体のキー挿通開口には、解錠キーの周壁に形成されたガイド溝に嵌合する突起が形成され、
前記プレート体が、対応するガイド溝を有しない異種解錠キーのプラグ内への挿入を規制する規制体として機能する請求項１または２記載のシリンダ錠。
【請求項４】
前記プレート装着溝には、該プレート装着溝への挿入開始端に突設された係止突起をプラグに弾発係止させたプレート体の複数が表裏面を相互に密着させて装着される請求項１、２または３記載のシリンダ錠。
【発明の詳細な説明】
【技術分野】
【０００１】
本発明は、シリンダ錠に関するものである。
【背景技術】
【０００２】
シリンダ錠は、解錠キーにより駆動されるタンブラを装着したプラグをシリンダケース内に回転自在に挿入して形成され、可動部材であるタンブラの移動を円滑に保持するためには、プラグ内への塵埃、水等の進入を防止する必要がある。とりわけ、温泉施設、プール等で使用されるシリンダ錠にあっては、濡れた解錠キーによる施解錠操作が行われるために、温泉水等が解錠キーに付着してプラグ内に導入されることも多く、プラグ内への導入、滞留により、タンブラ、あるいはプラグのタンブラ摺接面の腐食等が発生するおそれがある。
【０００３】
そして、水、塵埃等のプラグ内部への進入を防止するようにしたシリンダ錠としては、特許文献１に記載のように、外筒（シリンダケース）内に挿入される内筒（プラグ）の前端にシャッタプレートが配置したものが知られているが、プラグ前端に可動部材であるシャッタプレートを組み付けると、構造が複雑になるという欠点がある。
【特許文献１】実公平６-５１７号公報
【発明の開示】
【発明が解決しようとする課題】
【０００４】
本発明は、以上の欠点を解消すべくなされたものであって、簡単な構造で、プラグ内部、特にタンブラ摺動部への水等の進入、滞留を防止することができるシリンダ錠の提供を目的とする。
【課題を解決するための手段】
【０００５】
シリンダ錠は解錠キー１により動作するタンブラ２を収容したプラグ３をシリンダケース４に回転自在に挿入して形成され、プラグ３に形成されたプレート装着溝６にプレート体８が装着される。プレート体８は先頭タンブラ２の手前に配置され、解錠キー１に付着した水等はキー挿通開口７辺縁に付着した後、キー挿通開口７に形成された連通開放部９を経てプレート装着溝６のプラグ３外方への開放部５から排出される。
【０００６】
すなわち、解錠キー１に付着した水等は、プレート装着溝６及びプレート体８間に形成される隙間と連通開放部９に発生する表面張力により掻き出され、その後開放部５から排出される。
【０００７】
この結果、解錠キー１に水が付着していても、プレート体８により除去されるために、タンブラ２装着部位への水、あるいは水に混入した塵埃の進入が防止される。
【０００８】
上記キー挿通開口７の連通開放部９は、吸着した水の排出口として作用するが、その幅を解錠キー１の板厚寸法以下の十分に狭い寸法に設定すると、連通開放部９への毛細管現象による吸い込み効果を期待でき、プラグ３内での水の滞留をより効果的に防止できる。
【０００９】
また、プレート体８を複数密着させて装着した場合においては、プレート体８間に形成される隙間での毛細管現象による吸い込みが期待できる。
【００１０】
なお、本発明は、プラグ３内へのより完全な水の進入を防止する必要がある場合には、上述したシャッタープレート等によるシャッター機構の併用を否定するものではない。
【発明の効果】
【００１１】
本発明によれば、簡単な構造で、プラグ内部、特にタンブラ摺動部への水等の進入、滞留を防止することができるために、長期に渡って安定した動作を確保できる。
【発明を実施するための最良の形態】
【００１２】
図１に示すように、シリンダ錠は、複数の板状のタンブラ２を装着したプラグ３をシリンダケース４に回転自在に挿入して形成される。図１、図６（ｃ）に示すように、シリンダケース４には、対向位置に一対のロック溝４ａが長手通しに形成される。
【００１３】
上記タンブラ２を操作するための解錠キー１は、図３（ａ）、（ｂ）に示すように、表裏面にガイド溝１０が形成されたほぼ矩形断面形状のブランク材に所定の解錠コード形成凹部１ａを切削加工して形成される。解錠コード形成凹部１ａは、図３（ｃ）、（ｄ）に示すように、後端（以後、本明細書において、シリンダ錠への解錠キー１の挿入方向を基準として挿入開始端側を「前方」、挿入終端側を「後方」とする。）に開放された連続溝として表裏面に形成される。
【００１４】
また、解錠キー１の表裏境界位置には、前後方向に一対のリブ１ｂが連設される。
【００１５】
表裏反転姿勢での使用を可能にするために、上記ブランク材の断面形状は断面中心に対して点対称形状とされ、さらに、解錠コード形成凹部１ａは、上記断面中心に対して点対称位置に形成される。
【００１６】
上記プラグ３は一般部の前端に拡径頭部３ａを、後端に回転出力部３ｂを有する円筒体で、内部には回転中心に沿って前後方向に長いキー挿入部３ｃが開設される。図４（ａ）に示すように、キー挿入部３ｃはガイド溝１０を加工する前のブランク材が挿通可能な断面形状を有し、プラグ３の一般部終端近傍からプラグ３前方に開放される。
【００１７】
プラグ３の拡径頭部３ａには、上記キー挿入部３ｃに直交してプレート装着溝６が上下に貫通して開設され、プレート体８が収容される。図４（ａ）に示すように、プレート体８は、ステンレスの金属板材に打ち抜き加工を施して概ね上下に長い矩形形状に形成される（以下、本明細書において図４（ａ）に示す姿勢を基準に上下を定義する。）。
【００１８】
７はプレート体８の中央部に開設されるキー挿通開口であり、上記解錠キー１のブランク材の断面形状にほぼ一致する。図４（ｃ）に示すように、プレート体８にはキー挿通開口７から突出する突起１１が設けられる。突起１１は挿入される解錠キー１のガイド溝１０に対応しており、当該箇所にガイド溝１０が形成されていない異種の解錠キー１のプラグ３内への挿入を規制するガードプレートとしても機能する。
【００１９】
この実施の形態において、プレート体８のこの機能は鍵違い数の増加に利用される。すなわち、後述するように、シリンダ錠の鍵違い数は、タンブラ２の種類と装着枚数により決定されるが、これに加え、突起１１位置の異なるプレート体８と、プレート体種に対応したガイド溝１０が形成された解錠キー１を設定すると、本来のキー違い数にプレート体８の種類をかけた数のキー違いを設定することが可能になる。
【００２０】
また、上記キー挿通開口７の下端部は、連通開放部９を経由して外部に開放される。連通開放部９の幅方向寸法は、キー挿通開口７の幅方向寸法より小寸に形成される。
【００２１】
この実施の形態において、上記キー挿通開口７の中央両上下端部には、解錠キー１のリブ１ｂが案内されるガイド部７ａが形成されるため、連通開放部９はガイド部７ａを回避して形成される。
【００２２】
さらに、プレート体８の下端部には、側方に向けて係止突起１２が突設される。下端部を先頭にしてプレート体８をプレート装着溝６に押し込むと、係止突起１２がプレート装着溝６の側壁に突設される係止突部６ａに当接する。さらにプレート体８を押し込むと、連通開放部９の形成により片持梁状となった脚部８ａが一旦内方に弾性的に撓んで係止突部６ａを通過した後、再び原形に復帰して係止突起１２が係止突部６ａの下端に係止して抜け止めされる。
【００２３】
したがってこの実施の形態において、施解錠操作を行うためにプラグ３内に挿入される解錠キー１は、まず、プレート体８のキー挿通開口７内を通過する。水滴等が付着した解錠キー１が使用される場合、解錠キー１に付着した水滴はキー挿通開口７の内壁前端縁に付着して一部がそぎ落とされるようにしてキー挿入部３ｃに取り残され、水滴等はプレート装着溝６とプレート体８の隙間に表面張力または毛細管現象で吸収され下方の開放部５から排出され少量の残部がキー挿通開口７内に導かれる。キー挿通開口７の両側面から突設された突起１１は、ガイド溝１０内に入り込んだ水滴を確実に外部に送り出す。
【００２４】
解錠キー１の外周に付着したキー挿通開口７内に導かれた水滴は、連通開放部９を経由してプレート装着溝６内に排出される。上記シリンダケース４のロック溝４ａは、プレート装着溝６の下方まで至っており、プレート装着溝６に排出された水は、さらに、開放部５を通ってロック溝４ａに至り、水抜き孔４ｂからシリンダ錠外部に排出される。
【００２５】
キー挿通開口７の経路長を長くし、かつ、プレート体８の弾発係止を利用した簡単な装着方法を可能にするために、上記プレート体８は、複数枚（本実施の形態においては２枚）が同一プレート装着溝６に装着される。
【００２６】
上記プラグ３の一般部にはキー挿通部３ｃに直交してタンブラ装着孔３ｄが形成され、タンブラ２が装着される。図５に示すように、タンブラ２は、上記プレート体８と同様に、銅合金等の金属板材に打ち抜き加工を施して概ね上下（図５（ｂ）においては左右）に長い矩形形状に形成される。タンブラ２の上下には、シリンダケース４側のロック溝４ａに嵌合可能なロック用突部２ａが突設されており、ロック用突部２ａの上下辺は、プラグ３の一般部の外径にほぼ等しい円の円弧により形成される。
【００２７】
また、タンブラ２の一方の縦辺の中心部にはストッパ切欠２ｂが、反対辺の中心部には上下をバネ受け突部２ｃとするバネ収容切欠２ｄが形成される。
【００２８】
さらに、上記タンブラ２の中央部には、キー挿通開口２ｅが開設される。キー挿通開口２ｅは、ガイド溝１０形成前のブランク材の断面形状より長手方向（上下方向）に長く形成されており、縦辺には内方に向けてコード形成突部２ｆが突設される。
【００２９】
以上のタンブラ２は、解錠コード形成凹部１ａの突出位置を異ならせることにより複数種が設定される。また、ストッパ切欠２ｂは、全種類のタンブラ２で長さ寸法が同一であり、種類毎に上下縁からの位置が異なるように設定される。
【００３０】
一方、タンブラ装着孔３ｄは、上記タンブラ２の幅方向寸法にほぼ一致する幅寸法を有して上下に貫通する。図５（ａ）に示すように、このタンブラ装着孔３ｄは、前後方向に２枚のタンブラ２を並べて配置することができる奥行き寸法を有しており、中心部に２枚のタンブラ２を仕切るように仕切突部３ｅが突設される。
【００３１】
また、タンブラ装着孔３ｄの前後壁面の中央部には凹溝３ｆが形成される。凹溝３ｆは、少なくともキー挿入部３ｃの幅寸法より幅広で、かつ、左右両側にタンブラ２の摺接面が残るように形成される。
【００３２】
以上のように形成されるタンブラ装着孔３ｄには、２枚を１組としたタンブラ２が挿入される。図５（ｂ）に示すように、各組のタンブラ２は、コード形成突部２ｆが同一方向を向く姿勢でタンブラ装着孔３ｄに挿入され、タンブラ２挿入後にプラグ３に開設された横溝３ｇにストッパプレート１３が嵌合固定される。ストッパプレート１３は前後方向に長い板材で、固定状態においてタンブラ２のストッパ切欠２ｂに嵌合し、タンブラ２の抜け止めを行う。
【００３３】
また、各組のタンブラ２は、バネ収容切欠２ｄに１個の圧縮スプリング１４を挟み込んだ状態でタンブラ装着孔３ｄに挿入される。図６（ａ）に示すように、挿入状態において、各タンブラ２は圧縮スプリング１４により押されてバネ受け突部２ｃが同一高さになる初期位置に保持される。
【００３４】
初期位置においてプラグ３内の全数、あるいは適数のタンブラ２は、図６（ｃ）に示すように、上下いずれかのロック用突部２ａがプラグ３外周に飛び出してシリンダケース４のロック溝４ａに嵌合する。この状態が、プラグ３とシリンダケース４との回転境界が閉塞され、プラグ３への回転操作が禁止される施錠状態に対応する。
【００３５】
この初期位置からタンブラ２間の相対位置が変化すると、図６（ｂ）に示すように、圧縮スプリング１４の両端は異なったタンブラ２のバネ受け突部２ｃにより押し込まれ、圧縮スプリング１４は、弾性復元力により両タンブラ２に初期位置復帰方向の付勢力を与える。
【００３６】
したがってこの実施の形態において、各タンブラ２のコード形成突部２ｆに対応した解錠コード形成凹部１ａを備えた真正な解錠キー１が挿入されると、図６（ｄ）に示すように、タンブラ２は、上下端がプラグ３の外周に一致する位置まで移動する。この結果、シリンダケース４とプラグ３との回転境界面が開放され、プラグ３への回転操作が可能な解錠状態となる。
【００３７】
また、同一のタンブラ装着孔３ｄに装着される２枚のタンブラ２間には仕切突部３ｅが介装してタンブラ２同士の密着が防止され、さらに、タンブラ２とタンブラ装着孔３ｄの壁面との間には凹溝３ｆが形成されるために、タンブラ２間、あるいはタンブラ２とタンブラ装着孔３ｄ壁面との間に塵埃、あるいは腐食生成物が噛み込んで動作不良を起こすことがなくなる。
【図面の簡単な説明】
【００３８】
【図１】本発明を示す図で、（ａ）は正面図、（ｂ）は（ａ）の１Ｂ-１Ｂ線断面図である。
【図２】図１（ｂ）の２Ａ-２Ａ線シリンダケースの断面図である。
【図３】解錠キーを示す図で、（ａ）はブランク材の正面図、（ｂ）は（ａ）の３Ｂ-３Ｂ線断面図、（ｃ）は解錠コード形成凹部を形成した状態の正面図、（ｄ）は（ｃ）の３Ｄ-３Ｄ線断面図である。
【図４】プレート体を示す図で、（ａ）はプラグへの装着工程を示す断面図、（ｂ）は装着後の状態を示す断面図、（ｃ）は解錠キーを挿入した状態を示す断面図である。
【図５】タンブラを示す図で、（ａ）は装着工程を示す図、（ｂ）は（ａ）の５Ｂ-５Ｂ線断面図である。
【図６】タンブラの動作を示す図で、（ａ）は表裏のタンブラが初期位置にある状態を示す図、（ｂ）は初期位置から相対移動した状態を示す図、（ｃ）はプラグに装着した状態を示す図、（ｄ）は解錠状態を示す図である。
【符号の説明】
【００３９】
１        解錠キー
２        タンブラ
３        プラグ
４        シリンダケース
５        開放部
６        プレート装着溝
７        キー挿通開口
８        プレート体
９        連通開放部
１０      ガイド溝
１１      突起
１２      係止突起
【図１】
2008101431.tif 000003
【図２】
2008101431.tif 000004
【図３】
2008101431.tif 000005
【図４】
2008101431.tif 000006
【図５】
2008101431.tif 000007
【図６】
2008101431.tif 000008